(57)【要約】 【課題】掃除の場所等に応じてモータ内蔵式の吸口を用いる場合、この吸口を接続するための電気掃除機を複数設けなければならず、複数台分の電気掃除機の収納スペースが必要となる。【解決手段】電動送風機及び集塵部を備えた掃除機本体と、該掃除機本体に接続されたホースと、該ホースに接続された手元操作部と、該手元操作部に接続された接続管と、該接続管に接続された吸口と有する電気掃除機において、前記吸口を複数設けると共に、該複数の吸口のそれぞれに、被掃除面に作用する清掃体と、該清掃体を駆動する電気駆動手段とを備え、該複数の吸口はそれぞれ前記接続管に着脱自在に接続した。【選択図】        図１
2019076544.tif 000002
【特許請求の範囲】
【請求項１】
電動送風機及び集塵部を備えた掃除機本体と、前記掃除機本体に接続されたホースと、前記ホースに接続された手元操作部と、前記手元操作部に接続された接続管と、前記接続管に接続された吸口と有する電気掃除機において、
前記吸口は、被掃除面に作用する振動部材と、前記振動部材を駆動する電気駆動手段とを備え、
前記振動部材と併用して、回転ブラシを備えることを特徴とする電気掃除機。
【請求項２】
前記回転ブラシと前記振動部材を一つの前記電気駆動手段で駆動することを特徴とする請求項１に記載の電気掃除機。
【請求項３】
前記振動部材と前記回転ブラシを一つの電気駆動手段とするために、前記吸口内部に備えるプーリーとプーリーベルトによって駆動することを特徴とする請求項１又は２に記載の電気掃除機。
【請求項４】
前記振動部材の上部にカムを備え、前記プーリーと前記プーリーベルトによって伝達される回転を、前記カムに伝え、前記振動部材を上下に振動するように駆動伝達力を変換することを特徴とする請求項３に記載の電気掃除機。
【請求項５】
前記吸口は、前記接続管に接続される自在継手管を有し、
前記自在継手管は、被清掃面に対して略水平な状態から略垂直な状態まで回動可能であることを特徴とする請求項１乃至４の何れか１項に記載の電気掃除機。
【発明の詳細な説明】
【技術分野】
【０００１】
本発明は、電気掃除機に関する。
【背景技術】
【０００２】
電気掃除機は通常使用する床面等を掃除する床用の吸口に加え、掃除する場所等に合わせ、様々なアタッチメントが使用できる。床用の吸口が入れない家具等の隙間掃除には隙間用ノズルを用い、寝具等の掃除には布団用ローラを用いている。このような電気掃除機は、例えば特許文献１（特開２００６−５１１８７号公報）に開示されている。この特許文献１では、吸引管に接続されたアタッチメントの種類を判別し、アタッチメントの種類に応じて掃除機本体に配置された吸引力を発生させるモータの出力を調整するようにしている。
【先行技術文献】
【特許文献】
【０００３】
【特許文献１】特開２００６−５１１８７号公報
【発明の概要】
【発明が解決しようとする課題】
【０００４】
特許文献１に示すものにおいては、使用者は床用の吸口，布団用ローラ，隙間用ノズルを用途に合わせて交換し掃除することが出来る。
【０００５】
回転清掃体をモータで駆動する吸口は、接続管及びホースに設けられた給電線を介して掃除機本体と電気的に接続され、モータに電力を供給している。モータを内蔵した吸口は接続管と接続することにより、空気流路が形成されると共に、電気的な接続が行われる。  このため、掃除の場所等に応じてモータ内蔵式の吸口を用いる場合、この吸口を接続するための電気掃除機を複数設けなければならず、複数台分の電気掃除機の収納スペースが必要となる。
【０００６】
本発明の目的は、被清掃面のほこりやゴミをはく離させやすくすることができ、さらに集塵性能を向上させた電気掃除機を提供することにある。
【課題を解決するための手段】
【０００７】
上記目的を達成するために本発明の特徴とするところは、吸口は、被掃除面に作用する振動部材と、回転ブラシを備え、振動部材と回転ブラシをともに駆動する電気駆動手段とを備え、吸引口から吸引されたゴミは、掃除機本体に搬送されることにある。
【０００８】
または、本発明の特徴とするところは、吸口は、被掃除面に作用する振動部材と併用する回転ブラシを、一つの電気駆動手段で駆動することにある。
【０００９】
または、本発明の特徴とするところは、吸口は、被掃除面に作用する振動部材と回転ブラシを一つの電気駆動手段とするために、前記吸口内部に備えるプーリーとプーリーベルトによって駆動することにある。
【００１０】
または、本発明の特徴とするところは、吸口は、被掃除面に作用する振動部材上部にカムを備え、前記プーリーとプーリーベルトによって伝達される回転を、前記振動部材上部のカムに伝えて、前記振動部材を上下に振動するように駆動伝達力を変換することにある。
【発明の効果】
【００１１】
本発明によれば、被清掃面のほこりやゴミをはく離させやすくすることができ、さらに回転ブラシで吸込み口へとかき込むことによって、集塵性能を向上できる電気掃除機を提供することができる。
【００１２】
または、本発明によれば、振動部材と回転ブラシを一つの動力によって駆動させるため、吸口の小型化・軽量化が図れ、操作のしやすい電気掃除機となる。
【図面の簡単な説明】
【００１３】
【図１】発明の一実施例を示す電気掃除機の外観斜視図である。
【図２】図１における手元操作部３の斜視図である。
【図３】本発明の一実施例に係る床用吸口５０の斜視図である。
【図４】本発明の一実施例に係る寝具用吸口１５の斜視図である。
【図５】本発明の一実施例に係る寝具用吸口１５の分解斜視図であり、寝具用吸口の上ケース，前輪，後輪，自在継手管を除いた図である。
【図６】図５における振動子の分解斜視図である。
【図７】図５におけるビータを被掃除面方向から見た斜視図である。
【図８】発明の一実施例に係る寝具用吸口１５の電気回路図である。
【発明を実施するための形態】
【００１４】
本発明の目的は、複数の電動式の吸口を用途に合わせて交換でき、掃除の作業性を向上させた電気掃除機を提供することにある。そこで、上記目的を達成するために本発明の特徴とするところは、電動送風機及び集塵部を備えた掃除機本体と、掃除機本体に接続されたホースと、ホースに接続された手元操作部と、手元操作部に接続された接続管と、接続管に接続された吸口体と有する電気掃除機において、吸口体を複数設けると共に、複数の吸口体のそれぞれに、被掃除面に作用する清掃体と、清掃体を駆動する電気駆動手段とを備え、複数の吸口体はそれぞれ接続管に着脱自在に接続したことにある。そして、本発明によれば、複数の電動式の吸口を用途に合わせて交換でき、掃除の作業性を向上させた電気掃除機を提供することができる。
【００１５】
電動送風機及び集塵部を備えた掃除機本体と、掃除機本体に接続されたホースと、ホースに接続された手元操作部と、手元操作部に接続された接続管と、接続管に接続された吸口と有する電気掃除機において、吸口を複数設けると共に、複数の吸口のそれぞれに、被掃除面に作用する清掃体と、清掃体を駆動する電気駆動手段とを備え、複数の吸口はそれぞれ接続管に着脱自在に接続したことを特徴とする。好ましくは、複数の吸口のそれぞれに、接続管と接続する接続部を設けると共に、接続部をほぼ同一の形状に形成した。好ましくは、電気駆動手段は、接続管，手元操作部及びホースに配設された給電線を介して掃除機本体と電気的に接続され、手元操作部には、複数の吸口に設けられた電気駆動手段の運転制御を兼用する第一のスイッチ手段と、電動送風機の運転を制御する第二のスイッチ手段とを設けた。
【００１６】
本発明の一実施例を以下に示す図を参照して説明する。
【実施例１】
【００１７】
図１は本発明の一実施例を示す電気掃除機の外観斜視図である。図２は図１における手元操作部３の斜視図である。図３は本発明の一実施例に係る床用吸口５０の斜視図である。図４は本発明の一実施例に係る寝具用吸口１５の斜視図である。図５は寝具用吸口１５の底面からみた平面図である。図６は寝具用吸口１５のウエケースを除いた際の上からの平面図である。図７は図６を正面からみた平面図である。図８は図６を側面からみた平面図で、振動ビータと回転ブラシを駆動させるためのプーリーユニットである。
【００１８】
図１において、１は吸引力を発生させる電動送風機及びこの電動送風機１の吸引力で吸い込んだ塵埃を集塵する集塵部を内蔵した掃除機本体である。２は一端が掃除機本体１に接続され、柔軟性を有するホースであり、３は一端がホース２の他端に接続された手元操作部である。４は一端が手元操作部３の他端に接続された接続管であり、５は接続管４の他端に接続される吸口である。吸口５には後述する電動機等の電気駆動手段が内蔵されている。
【００１９】
また、図１に示す吸口５は、寝具用吸口１５と床用吸口５０と複数設けられており、複数の吸口がそれぞれ接続管４に着脱自在に接続することが出来る。これを実現するために、本実施例では、接続管４と接続され、空気通路を形成する第二の接続管６４の接続部６４ａ（図３及び図４５）をほぼ同一の形状に形成して、それぞれ寝具用吸口１５及び床用吸口５０に設けている。さらに、接続管４と接続され、延長管４の給電線と電気的に接続する複数の端子１２（図３及び図４５）の突出量，端子間幅等をほぼ同一になるようにして設け、接続管４との接続を可能としている。これにより、複数の電動式の吸口を用途に合わせて交換でき、掃除の作業性を向上させることができる。
本実施例では、電動機等の電気駆動手段を備えた床用吸口５０及び寝具用吸口１５をそれぞれ接続管４に着脱自在に接続可能とし、同一の電気掃除機で使用することが出来、寝具用吸口１５においては、振動ビータ１８の上下振動により寝具表面及び内部のゴミを浮き上がらせる効果と、その後方に配置する回転ブラシ１９によって効率よく吸込み口へとかき込む二重の効果がある。
【００２０】
また、振動ビータ１８と回転ブラシ１９を、モータ２０単独で駆動させることによって、小型・軽量化が図られる。
【００２１】
図２を用いて手元操作部３を説明する。手元操作部３には、図２に示すように複数の吸口５０に設けられた電気駆動手段の運転制御を兼用する第一のスイッチ手段５１と、電動送風機（図示せず）の運転を制御する第二のスイッチ手段５２とを設けている。本実施例では、第二のスイッチ手段５２は、電動送風機を強運転もしくは弱運転に切り替える強／弱スイッチ５３と、電動送風機を強運転と弱運転の間の中間運転に切り替える標準スイッチ５４と、電動送風機の運転を停止させる切スイッチ５５の３つのスイッチを有している。強／弱スイッチ５３もしくは標準スイッチ５４の一方のスイッチを押すことで、掃除機本体１の電動送風機は起動される。電動送風機の起動により被掃除面の塵埃は、吸口５から吸引され、接続管４，手元操作部３，ホース２に形成された空気通路を経由して掃除機本体１内の集塵部（図示せず）に搬送される。また、強／弱スイッチ５３を一回押したとき、吸い込みは強モードとなり、２回目に押したときは弱モードとなる。標準スイッチ５４を一回押したときには、吸い込みは標準モードとなる。標準モードから強／弱スイッチ５３を押したときも同様で、強／弱スイッチ５３を一回押したとき、吸い込みは強モードとなり、２回目に押したときは弱モードとなる。また、強モードもしくは弱モードから標準スイッチ５４を押したときには、モードは標準モードとなる。各モードは、電動送風機に供給される電力で調整され、強モード，標準モード，弱モードの順に供給される電力は小さくなっている。切スイッチ５５を押すと電動送風機が停止すると共に吸口５に供給されていた電力も供給が停止され、吸口の電気駆動手段が停止する。
【００２２】
第一のスイッチ手段５１は、手元操作部３を介して吸口５に供給される交流電圧を切り替えている。また、電動送風機が起動している状態で切り替えることが可能である。また、電動送風機を起動させた初期状態では、吸口５に交流電圧がかけられた状態となっている。床用吸口５０と寝具用吸口１５の動作状態は、この第一のスイッチ手段５１によりコントロールされる。
このように、床用吸口５０と寝具用吸口１５は、同一のスイッチを用いて動作させているため、作業者は容易に吸口を交換して、簡単に操作し掃除することが出来る。
本実施例では、スイッチの数を第一のスイッチ手段５１，第二のスイッチ手段５２（強／弱スイッチ５３，標準スイッチ５４，切スイッチ５５）の４つとしたが、スイッチ数はいくつでも構わない。また、本実施例では押しボタン式のスイッチを使用しているが、スイッチの形状はどのようなものでもかまわない。
【００２３】
次に図４〜図８１３を用いて寝具用吸口１５の構成を説明する。寝具用吸口１５は、上ケース１６，下ケース１７により外郭が構成されている。下ケース１７の前縁は進行方向に対して、進行の妨げにならない形状になっている。寝具用吸口１５も、床用吸口５０と同様に、自在継手管８の端子１２に、手元操作部３を介して本体から交流電力が供給される。
【００２４】
また、寝具用吸口１５と床用吸口５０は、同型の自在継手管８を備えている。寝具類などの掃除では、床にふとんを敷いて掃除機をかける場合や、ベット上の寝具類に掃除機をかける場合のほかに、ベランダにふとんを干した状態で掃除機をかける場合が考えられる。床にふとん敷いて掃除機をかける場合や、ベット上の寝具類では、接続管４を使用する場合や、手元操作部３に直接つける場合があり、自在継手管８の稼動域が大きいほうが望ましい。
【００２５】
特に、ベランダに干した状態で掃除機をかける場合、ベランダの外側のふとんには、ふとんに対して自在継手管８を略水平な状態にして掃除機をかける必要がある。本実施例では、床用吸口５０と同型の自在継手管８を備えているので、自在継手管８を被掃除面略水平まで稼動させることができる。これにより、無理な姿勢をすることなく掃除機をかけることが出来る。
【００２６】
図５に示すように、下ケース１７部には、前方に振動ビータ１８があり、その後方には回転ブラシ１９がある。回転ブラシ１９の上には、ふとんやシーツを回転ブラシで巻き込むことを防止したり、羽毛布団等の極端に柔らかいものであっても、寝具用吸口１５が沈み込みこんでしまい、集塵性能の低下をまねかぬようにするために保護カバー２０をとりつけてある。
【００２７】
図６に示すように、駆動用モータ２０とその制御基板２１を、回転ブラシの上部に設置している。
【００２８】
図８に寝具用吸口１５のプーリーユニット２４を示す。モータ２０によってプーリー２５を回転させて、プーリーベルト２９によってビータ用プーリー２６と回転ブラシ用プーリー２７に動力を伝達する。また、プーリーベルトのすべりや蛇行による外れを防止するためにプーリー28によってプーリーベルトにテンションをかける。
ところで、寝具用吸口１５のビータにおいては、吸口が被掃除面から離れたら停止する、マイクロスイッチ６０のような安全のための機構は備えていない。それは、ビータ１８４７が下ケース１７の開口部３２のほぼ全面を覆うように配置されているので、障害物を挟み難い構造をなしているためである。
【００２９】
しかし、回転ブラシ部においては、マイクロスイッチを設けて、被掃除面から寝具用吸口１５が離れた際に停止するような安全機構を設けてある。
【００３０】
以上説明したように、本実施例によれば、電動床用吸口５０と、電動寝具用吸口１５を同一の本体で使用することが出来るため、本体ごと交換するような煩わしさは無い。また、電動床用吸口５０と電動寝具用吸口１５を分けて使用するため衛生的にも問題は無い。
【００３１】
また、本実施例によれば、電動式の吸口５０と電動式の寝具用吸口１５で、同一のスイッチを用いて動作させているため作業者は容易に電動吸口を交換して掃除することが出来る。
【００３２】
また、本実施例ではビータ１８と回転ブラシ１９を駆動させるために、別々のモータによって駆動させず、同一の駆動モータ２０一つのみで、ビータ１８と回転ブラシ１９を駆動させるため、寝具用吸口として小型・軽量化が図れる。
【符号の説明】
【００３３】
１掃除機本体
２ホース
３手元操作部
４接続管
５吸口
１５寝具用吸口
５０床用吸口
【図１】
2019076544.tif 000003
【図２】
2019076544.tif 000004
【図３】
2019076544.tif 000005
【図４】
2019076544.tif 000006
【図５】
2019076544.tif 000007
【図６】
2019076544.tif 000008
【図７】
2019076544.tif 000009
【図８】
2019076544.tif 000010